(57)【要約】【課題】  錠剤などの被計数物の正確な所定数の切り出しを可能とする切り出し計数装置を提供する。【解決手段】  錠剤などの粒体からなる被計数物２を収納するホッパ３と、このホッパの排出部３ａに連結されて、被計数物２を切り出す切り出し筒４と、この切り出し筒４を回転させる電動機である回転手段５と、切り出し筒４から排出された被計数物２を計数する計数用センサ１６と、切り出し筒４の排出側の端部４ｄに設けられた計数アダプタ４ｃとを備え、計数アダプタ４ｃは、切り出し筒４の排出側の端部４ｄに挿入可能な円筒形で形成され、円筒形の内側には円筒中心軸方向に沿って複数の溝４ｃａが設けられ、溝４ｃａは、粒体の形状に合った形状で円筒軸中心に対して放射状で等間隔に設けられている。【選択図】図１
2011063307.tif 000002
【特許請求の範囲】
【請求項１】
錠剤などの粒体からなる被計数物（２）を収納するホッパ（３）と、このホッパの排出部（３ａ）に連結されて、前記被計数物（２）を切り出す切り出し筒（４）と、この切り出し筒（４）を回転させる回転手段（５）と、前記切り出し筒（４）から排出された前記被計数物（２）を計数する計数用センサ（１６）と、
前記切り出し筒（４）の排出側の端部（４ｄ）に被計数物を個別に収納する溝を有し円筒形で回転可能に設けられた計数アダプタ（４ｃ）と、を備えることを特徴とする切り出し計数装置（１）。
【請求項２】
前記計数アダプタ（４ｃ）は、前記切り出し筒（４）の排出側の端部（４ｄ）に挿入可能な円筒形で形成され、前記円筒形の内側には前記円筒中心軸方向に沿って複数の溝（４ｃａ）が設けられていることを特徴とする請求項１に記載の切り出し計数装置（１）。
【請求項３】
前記計数アダプタ（４ｃ）は、円筒形の基部（４ｇ）と、前記基部（４ｇ）から前記基部（４ｇ）の円筒中心軸方向に沿って等間隔に設けられた複数の突起（４ｆ）と、前記基部（４ｇ）及び前記突起（４ｆ）の外周の少なくとも一部を囲う囲い部（４ｅ）と、を備え、
隣接する２つの前記突起（４ｆ）と、前記囲い部（４ｅ）との間に溝（４ｃａ）が形成されることを特徴とする請求項１に記載の切り出し計数装置（１）。
【請求項４】
前記溝（４ｃａ）は前記円筒軸中心に対して放射状に形成されていることを特徴とする請求項２または請求項３に記載の切り出し計数装置（１）。
【請求項５】
前記溝（４ｃａ）は等間隔に設けられていることを特徴とする請求項２または請求項３に記載の切り出し計数装置（１）。
【請求項６】
前記溝（４ｃａ）は隣接する２個の羽状の突起（４ｃｂ）で形成されていることを特徴とする請求項２または請求項３に記載の切り出し計数装置（１）。
【請求項７】
前記計数アダプタ（４ｃ）は、ジュラコンで形成されていることを特徴とする請求項１に記載の切り出し計数装置（１）。
【請求項８】
前記切り出し筒（４）から排出された前記被計数物（２）を受ける受け部材（６）と、この受け部材（６）の排出側に設けられた開閉蓋（８）と、この開閉蓋（８）を開閉する開閉手段（９）と、を備えることを特徴とする請求項１に記載の切り出し計数装置（１）。
【発明の詳細な説明】
【技術分野】
【０００１】
本発明は、錠剤などの粒体を計数して袋詰めする切り出し計数装置に関し、例えば、切り出し筒の排出側の端面に錠剤を個別に切り出す溝や羽付きの計数アダプタを設けることによって、個片形状の錠剤の正確な所定数の切り出しを可能とし、被計数物の過剰または過少切り出しによるコスト高や不良品処置の手間などを解消できる切り出し計数装置を提供することができる。
【背景技術】
【０００２】
従来の切り出し計数装置として、例えば、微粒や粉状のかやくを袋に収納するなど計量して小袋に袋詰めする切り出し秤量装置を用いて、錠剤などの小粒の粒体の秤量値を１個当たりの重さを用いて所定数だけ小袋に袋詰めする切り出し計数装置がある。以下にその計数を行わせる切り出し秤量装置を説明する。
図６は、従来の切り出し秤量装置の概略を示す正面断面図である。
図６に示すように、切り出し秤量装置１１０は、被秤量物１１１を収納するホッパ１１２と、このホッパ１１２の排出部１１２ａに連結されて、被秤量物１１１を切り出す下方傾斜した適度な長さの切り出し筒１１３と、この切り出し筒１１３を回転させる回転手段（モータ回転機構）１１５と、排出口１１６ａに開閉蓋１１７が設けられて、切り出し筒１１３から投下された被秤量物１１１を受ける受け部材１１６と、この受け部材１１６が受けた被秤量物１１１を秤量する秤量器１１８と、受け部材１１６に設けられた開閉蓋１１７を開閉する開閉手段（ソレノイド）１１９とを備えている。
なお、ここでいう被秤量物１１１とは、ホッパ１１２内から切り出し可能な粉粒体、片状体、小塊状体などをいう。
【０００３】
また、この切り出し秤量装置１１０は、ホッパ１１２の排出部１１２ａと切り出し筒１１３との間に、被秤量物１１１の切り出し調整可能な筒状のアタッチメント１４１を着脱可能に設けるように構成されている。このアタッチメント１４１は、内部流路の内径を異ならせて被秤量物１１１の切り出し調整をするものである。
このアタッチメント１４１には、ホッパ１１２側の端部に被秤量物１１１の切り出し突起１４１ａが設けられ、また、ホッパ１１２側の排出部１１２ａに被秤量物１１１の切り出し螺旋体１４１ｄが設けられている。
【０００４】
これによってホッパ１１２の排出部１１２ａから排出された被秤量物１１１は、回転手段１１５により回転している下方傾斜した切り出し筒１１３から、連続的に切り出されて受け部材１１６内に投下され、秤量器１１８により秤量され、所定重量に達したら開閉手段１１９により受け部材１１６の開閉蓋１１６ａを開いて、秤量された被秤量物１１１を排出するので、正確な所定量の切り出しができて、被秤量物１１１の過剰または過少切り出しによるコスト高や不良品処置の手間などを解消できる。ここで、特に回転する下方傾斜した適度な長さの切り出し筒１１３内を被秤量物１１１が徐々に流れるので、被秤量物１１１の均一化が行なわれ、切り出し筒１１３の下端から定量排出が行なわれる。また、切り出し量の調整は、切り出し筒１１３の回転速度及び／又は傾斜を変えることによって可能である。
【０００５】
また、ホッパ１１２の排出部１１２ａと切り出し筒１１３との間に着脱可能なアタッチメント１４１を装着するので、ホッパ内の被秤量物を切り出し筒１１３内へ導入する切り出し調整が、被秤量物１１１の大きさや形状などの品種に応じてできる。
【０００６】
さらに、ホッパ１１２の排出部１１２ａから排出された流動性の良い被秤量物（例えば胡麻）１１１は、アタッチメント１４１を通過する際に、その内径が異なる（有効通過断面積が異なる）内部流路を通過して流量調整されるので、粒径の小さな被秤量物１１１の流量調整が容易にできる。
【０００７】
そして、切り出し筒１１３と共にアタッチメント１４１が回転すると、その切り出し突起１４１ａが、例えばホッパ１１２の排出部１１２ａ付近にある固まった被秤量物１１１を掻き崩すので、切り出しにおいて、被秤量物１１１がホッパ１１２の排出部１１２ａ付近で詰まり難い。
【０００８】
また、切り出し筒１１３と共にアタッチメント１４１が回転すると、その切り出し螺旋体１４１ｄが所定方向へ回転するが、切り出し螺旋体１４１ｄの曲がり方向と同一方向に回転する場合には、ホッパ１１２の排出部１１２ａ付近にある被秤量物１１１の切り出し筒１１３側への流入を促進し、また切り出し螺旋体１４１ｄの曲がり方向と反対方向に回転する場合には、ホッパ１１２の排出部１１２ａ付近の被秤量物１１１の切り出し筒１１３側への流入を抑制し、被秤量物１１１の品種に合わせて、その回転方向を正逆選択することにより、被秤量物１１１の切り出し調整の幅が広がる。このようにホッパ１１２内の被秤量物１１１を、軸芯ａが下方傾斜した切り出し筒１１３を、回転手段１３０により回転させながら、徐々に受け部材１１６に投下し、それを秤量器１１８により秤量するようにしたので、正確な所定量の切り出しができて、被秤量物１１１の過剰または過少切り出しによるコスト高や不良品処置の手間などを解消できる。
特に、ホッパ１１２の排出部１１２ａに着脱可能に装着されたアタッチメント１４１により、ホッパ１１２内の被秤量物１１１を切り出し筒１１３内へ導入する切り出し調整が、被秤量物１１１の大きさや形状などの品種に応じて簡単にできる（特許文献１参照）。
【先行技術文献】
【特許文献】
【０００９】
【特許文献１】特許第２６４９３３５号
【発明の概要】
【発明が解決しようとする課題】
【００１０】
しかしながら、微粒や粉状のかやくを袋に収納するなど計量して小袋に袋詰めする切り出し秤量装置を用いて、錠剤などの小粒の粒体を計量して所定量を小袋に袋詰めて所定数の錠剤の計数に兼用した場合に一個でも計数を間違うと再工事をしなければならず余分な工数が発生する可能性があった。
【００１１】
本発明はこのような事情に鑑みてなされたもので、切り出し筒の排出側の端部に複数の溝や羽を備えた計数アダプタを設けることによって、錠剤などの被計数物の正確な所定数の切り出しを可能とし、被計数物の過剰または過少切り出しによるコスト高や不良品処置の手間などを解消できる切り出し計数装置を提供することを目的とする。
【課題を解決するための手段】
【００１２】
請求項１に係る発明の切り出し計数装置１は、錠剤などの粒体からなる被計数物２を収納するホッパ３と、このホッパ３の排出部３ａに連結されて、前記被計数物２を切り出す切り出し筒４と、この切り出し筒４を回転させる回転手段５と、前記切り出し筒４から排出された前記被計数物２を計数する計数用センサ１６と、前記切り出し筒４の排出側の端部４ｄに被計数物２を個別に収納する溝４ｃａを有し円筒形で回転可能に設けられた計数アダプタ４ｃと、を備えることを特徴とする。
【００１３】
請求項２に係る発明は、請求項１に記載の切り出し計数装置１であって、前記計数アダプタ４ｃは、前記切り出し筒４の排出側の端部４ｄに挿入可能な円筒形で形成され、前記円筒形の内側には前記円筒中心軸方向に沿って複数の溝４ｃａが設けられていることを特徴とする。
【００１４】
請求項３に係る発明は、請求項１に記載の切り出し計数装置１であって、前記計数アダプタ４ｃは、円筒形の基部４ｇと、前記基部４ｇから前記基部４ｇの円筒中心軸方向に沿って等間隔に設けられた複数の突起４ｆと、前記基部４ｇ及び前記突起４ｆの外周の少なくとも一部を囲う囲い部４ｅと、を備え、隣接する２つの前記突起４ｆと、前記囲い部４ｅとの間に溝４ｃａが形成されることを特徴とする。
【００１５】
請求項４に係る発明は、請求項２または請求項３に記載の切り出し計数装置１であって、前記溝４ｃａは前記円筒軸中心に対して放射状に形成されていることを特徴とする。
【００１６】
請求項５に係る発明は、請求項２または請求項３に記載の切り出し計数装置１であって、前記溝４ｃａは等間隔に設けられていることを特徴とする。
【００１７】
請求項６に係る発明は、請求項３に記載の切り出し計数装置１であって、前記溝４ｃａは隣接する２個の羽状の突起４ｃｂで形成されていることを特徴とする。
【００１８】
請求項７に係る発明は、請求項１に記載の切り出し計数装置１であって、前記計数アダプタ４ｃは、ジュラコンで形成されていることを特徴とする。
【００１９】
請求項８に係る発明は、請求項１に記載の切り出し計数装置１であって、前記切り出し筒４から排出された前記被計数物２を受ける受け部材６と、この受け部材６の排出側に設けられた開閉蓋８と、この開閉蓋８を開閉する開閉手段９と、を備えることを特徴とする。
【発明の効果】
【００２０】
請求項１に係る発明によれば、錠剤などの粒体からなる被計数物を切り出す切り出し筒の排出側の端部に計数アダプタを設けることによって、錠剤などの粒体の正確な所定数の切り出しができ、被計数物の過剰または過少切り出しによるコスト高や不良品処置の手間などを解消できる切り出し計数装置を提供することができる。
【００２１】
請求項２に係る発明によれば、計数アダプタを切り出し筒の排出側の端部４ｄに挿入可能な円筒形に形成し、円筒形の内側には円筒中心軸方向に複数の溝を設けることによって、粒体が溝にきちんと収まり正確な所定数の切り出しができ、被計数物の過剰または過少切り出しによるコスト高や不良品処置の手間などを解消できる。
【００２２】
請求項３に係る発明によれば、溝が粒体の形状に合った形状に形成されることによって、被計数物である錠剤などの粒体が溝にきちんと収まり正確な所定数の切り出しができ、被計数物の過剰または過少切り出しによるコスト高や不良品処置の手間などを解消できる。
【００２３】
請求項４に係る発明によれば、溝を円筒軸中心に対して放射状に形成することによって、正確な所定数の切り出しができ、被計数物の過剰または過少切り出しによるコスト高や不良品処置の手間などを解消できる。
【００２４】
請求項５に係る発明によれば、溝を等間隔に設けることによって、均一なスピードで錠剤などの粒体の正確な所定数の切り出しができ、被計数物の過剰または過少切り出しによるコスト高や不良品処置の手間などを解消できる。
【００２５】
請求項６に係る発明によれば、計数アダプタの円筒形内面に隣接する２個の羽状の突起を設けることによって溝が形成され、正確な所定数の切り出しができ、被計数物の過剰または過少切り出しによるコスト高や不良品処置の手間などを解消できる。
【００２６】
請求項７に係る発明によれば、計数アダプタをジュラコンで形成することによって、錠剤などの粒体を滑らかに容易に正確な所定数の切り出しができ、被計数物の過剰または過少切り出しによるコスト高や不良品処置の手間などを解消できる。
【００２７】
請求項８に係る発明によれば、切り出し筒から排出された被計数物を受ける受け部材と、この受け部材の排出側に設けられた開閉蓋と、この開閉蓋を開閉する開閉手段と、を備えることによって、所定の数量を一度に袋詰めなどの収納が可能となり、正確な所定数の切り出しができ、被計数物の過剰または過少切り出しによるコスト高や不良品処置の手間などを解消できる。
【発明を実施するための形態】
【００２８】
＜第１の実施形態＞
以下、本発明の第１の実施形態に係る切り出し計数装置を図面を参照しながら詳細に説明する。
図１は、本発明の第１の実施形態を説明するための切り出し計数装置の正面図である。図２は、本発明の第１の実施形態に係る切り出し筒の周辺を示す正面図である。図３は、本発明の第１の実施形態に係る切り出し筒の周辺を示す側面図であり、図３の（ａ）は１つの切り出し筒を設けた場合を示し、図３の（ｂ）は３つの切り出し筒を設けた場合を示している。図４は、本発明の第１の実施形態に係る計数アダプタを示し、図４の（ａ）は正面図、図４の（ｂ）は（ａ）に示すＢ矢視図、図４の（ｃ）は計数アダプタの斜視図である。
図１、図２及び図３に示すように、切り出し計数装置１は、錠剤などの粒体からなる被計数物２を収納するホッパ３と、このホッパ３の排出部３ａに連結されて、被計数物２を切り出す切り出し筒４と、この切り出し筒４を回転させる電動機である回転手段５と、切り出し筒４から排出された被計数物２を計数する計数用センサ１６と、切り出し筒４の排出側の端部４ｄに被計数物２を個別に収納する溝４ｃａ（図３、図４参照）を有し円筒形で回転可能に設けられた計数アダプタ４ｃとを備える。
【００２９】
図４の（ａ）（ｂ）（ｃ）に示すように、計数アダプタ４ｃは、円筒形の基部４ｇと、基部４ｇから基部４ｇの円筒中心軸方向に沿って等間隔に設けられた複数の突起４ｆと、基部４ｇ及び突起４ｆの外周の少なくとも一部を囲う囲い部４ｅとを備え、隣接する２つの突起４ｆと、囲い部４ｅとの間に溝４ｃａが形成される。すなわち、計数アダプタ４ｃは、切り出し筒４の排出側の端部４ｄに挿入可能な円筒形に形成され、円筒形の内側には円筒中心軸方向に沿って複数の溝４ｃａが設けられている。溝４ｃａは粒体の形状に合った形状に形成されている。また、溝４ｃａは円筒軸中心に対して放射状に形成されている。また、溝４ｃａは等間隔に設けられている。また、溝４ｃａの数は６箇所としたが、用途次第で適宜増減可能である。
【００３０】
このように、錠剤などの粒体からなる被計数物２を切り出す切り出し筒４の排出側の端部４ｄに計数アダプタ４ｃを設けることによって、被計数物である錠剤などの粒体が溝４ｃａにきちんと収まる。また、溝４ｃａを円筒軸中心に対して放射状および等間隔に設けたことによって、均一なスピードで錠剤などの粒体の正確な所定数の切り出しができる。また、溝４ｃａは隣接する２個の羽状の突起４ｆで形成されている。つまり、隣接する２個の羽（突起）４ｆ、４ｆに囲まれた空間とその周囲を被っている囲い部４ｅによってコの字形の溝４ｃａが形成されることになる。このように、計数アダプタ４ｃの円筒形内面に沿って隣接する２個の羽状の突起４ｆ、４ｆを設けることによって６か所に溝４ｃａが形成され、錠剤などの粒体２、２…２を一個づつ個別に切り出し続けることができる。
【００３１】
また、計数アダプタ４ｃの円筒形の外周に、計数アダプタ４ｃが回転摺動可能に溝４ｃａの外側を覆う囲い部４ｅが設けられ、この囲い部４ｅには開口部４ｅａが設けられている。この開口部４ｅａは計数アダプタ４ｃが最下点から６０〜１００度の角度を回転した位置に開口されている。なお、囲い部４ｅは円筒形でも良いし、被計数物２を排出するまでの一部の溝４ｃａだけを囲う曲面を備えた板であっても構わない。なお、６０〜１００度の角度は、計数アダプタから錠剤が排出され易いように適宜微調整可能であり、６０〜１００度の角度の前後に及んでも構わない。
【００３２】
開口部４ｅａから出た位置に計数用センサ１６が設けられている。この計数用センサ４ｅａは光透過型センサを採用しているが、落下する粒体の個数を計数出来るものであればこれに限定するものではなく、反射式センサでも、アクチュエータ式であっても構わない。これによって、円筒形の回転の最下点に来た溝４ｃａの中に錠剤などの被計数物２が収まり、この収まった被計数物２が最下点から６０度の角度付近に上がって来たとき、遠心力と重力によって、開口部４ｅａからこぼれるように受け部材６側へ飛び出す。落下している錠剤などの被計数物２が計数用センサ１６を遮ることによって、個数が計数される。受け部材６に所定の個数が収納されると開閉蓋８ａが開き、所定の数の錠剤が小袋に収納される。
【００３３】
また、図４の（ｃ）に示すように、計数アダプタ４ｃの内面の溝４ｃａは、基部４ｇから突き出た羽状の複数の突起４ｆで構成されている。このように、計数アダプタの内面に複数の突起４ｆを設けることによって溝４ｃａが形成される。
【００３４】
計数アダプタ４ｃは、樹脂や金属で形成されているが、本願発明では特にジュラコンで形成した例で説明している。これによれば、計数アダプタをジュラコンで形成することによって、錠剤などの粒体を滑らかに所定数の切り出しができ、被計数物の過剰または過少切り出しによるコスト高や不良品処置の手間などを解消できる。
【００３５】
また、切り出し計数装置１を詳細に説明すると、切り出し計数装置１は、被計数物２を収納するホッパ３と、このホッパ３の排出部３ａに連結されて、被計数物２を切り出す切り出し筒４と、この切り出し筒４を回転させる回転手段５と、この切り出し筒４から投下された被計数物２を受ける受け部材６と、この受け部材６の排出口６ａに設けられた開閉蓋８と、この開閉蓋８の開閉手段９と、切り出し筒４に設けられた外筒４ａと、この外筒４ａに着脱自在に外嵌された内筒４ｂと、外筒４ａのホッパ側の端部４ａａに当接されている内筒４ｂのフランジ４ｂｂとを備える。内筒４ｂは、摩擦係数の小さいジュラコンで形成されている。このフランジ４ｂｂを外筒４ａのホッパ３側の端部４ａａに当接させて、内筒４ｂと外筒４ａとを着脱可能に嵌挿することによって、被計数物が流動する部品を取り外して洗浄するのに都合の良い構造とすることができる。また、切り出し筒４の内筒４ｂの洗浄後には、内筒４ｂは、この内筒４ｂのフランジ４ｂｂを外筒４ａに挿入して外筒４ａの端部４ａａに当接させることで位置決めされる。
【００３６】
また、切り出し筒４の外筒４ａの両端部がリング状のベアリングに嵌挿された状態で架台１２上に回転可能に配置され、この切り出し筒４の上部にそれぞれの切り出し筒４に対応したモータ回転機構５が配置されている。そして、外筒４ａの周囲に外嵌して固定された第１の歯車（平歯車）１０と、回転手段５の回転軸５ａに固定された第２の歯車（平歯車）１１とが咬合するように配設され、第２の歯車１１の回転駆動力が第１の歯車１０に伝達されて、外筒４ａ及び内筒４ｂを回転させる。架台１２は支柱１３と支柱１４に支持されている。支柱１３と架台１２とは、軸１２ａによって回動可能に設けられている。また、支柱１４には支柱１４の長さを調節することが可能なように高さ調節構造がナット１４ａを回転させることで機能するように設けられている。そして支柱１４と架台１２とは、架台１２が軸１２ａを支点にして上下するように軸１２ｂが架台１２の軸穴１２ｃを摺動可能に設けられている。なお、高さ調整構造はローレット切りのナット１４ａを回転させることで支柱１４を上下させるが、電動機で回転させて自動調整させても構わない。
【００３７】
このように、外筒４ａの周囲に外嵌して固定された第１の歯車１０と、回転手段５の回転軸５ａに固定された第２の歯車１１とが咬合するように配設されることによって、被計数物が流動する部品を取り外して洗浄するのに都合の良い構造とすることができ、内筒４ｂが簡単に取り外され、被計数物が切り出される内面４ｂｃの洗浄を容易にした衛生的な切り出し計数装置を提供することができる。
【００３８】
次に、切り出し計数装置の動作を説明する。図１〜図４に示すように、ホッパ３の排出部３ａから排出された被計数物２は、回転手段５により回転している切り出し筒４から、連続的に切り出されて受け部材６内に投下され、受け部材６の被計数物２が所定数に達したら、電動の開閉手段９により受け部材６の開閉蓋８を開いて、計数された被計数物２を排出する。ここで、回転駆動される切り出し筒４内を被計数物２が徐々に流れるので、被計数物２の均一化が図られ、切り出し筒４の排出側の下端から定量排出が行なわれる。また、切り出し量の調整は、切り出し筒４の回転速度を変えることによって可能である。
【００３９】
この切り出し筒４は、水平ラインａに対して０〜１０°、好ましくは２〜５°前後ほど軸芯ｂが下方傾斜した円筒形の筒体である。ただし、切り出し筒４の傾斜角は、これらの数値に限定されるものではない。なお、この切り出し筒４の長さは少なくとも内径の３〜５倍程度となっている。この切り出し筒４の排出側の端部４ｄに設けられた計数アダプタ４ｃに送られてきた被計数物２は、その計数アダプタ４ｃの円筒形の最下点にある溝４ｃａに落し込まれ、計数アダプタ４ｃの回転と共に溝４ｃａに位置決めされて上昇して行く。計数アダプタ４ｃの最下点から６０〜１００度回転した位置に設けられた、囲み部４ｅによって囲まれていない開口部４ｅａから、被計数物２が計数アダプタ４ｃの外部に放り出され下方へ落下する。このとき計数用センサ１６が被計数物２の通過を検出して排出された被計数物２の計数を積算して、予め設定された所定数だけ受け部材６内に被計数物が溜まったときに、制御装置（図略）により、切り出し筒４から受け部材６への被計数物２の投下を止めて、ソレノイドを利用した開閉装置９によって開閉蓋８が開蓋される。これにより、計数済みの被計数物は、受け部材６から、シュート１５を介して、袋詰め装置（図略）に送られる。次いで、開閉蓋８を閉め、以下、これまでの計数操作を繰り返す。
【００４０】
従来の計数装置は、平面状ドラム式が用いられ、大型化する傾向にあったが、本願発明の計数装置は、小径管（パイプ）を用いて計数を可能とした本分野では画期的な計数装置である。
【００４１】
＜第２の実施形態＞
次に、本発明の第２の実施形態に係る切り出し計数装置を図面を参照しながら詳細に説明する。
図５は、本発明の第２の実施形態を説明するための切り出し計数装置を示し、図５の（ａ）は側面図、図５の（ｂ）は（ａ）に示すＣ矢視図である。
第２の実施形態が第１の実施形態と異なる点は、第１の実施形態では、切り出す錠剤２を計数アダプタ４ｃの円筒が回転する最下点から６０〜１００度の角度だけ回転して上がったところで被計数物２を計数アダプタ４ｃの側面の開口部４ｅａから排出するようにしているが、第２の実施形態では、開口部４ｅａを設けておらず、囲い部４ｅは溝４ｃａと一体となり、溝２４ｃａに嵌まった錠剤は最下点から１８０度の角度を回転した最上点から自然落下することによって、最上点の真下に設けられたシュート２５内に落下してシュート２５を滑り落ちるようにして排出される。
図５に示すように、計数アダプタ２４には、円筒軸中心から放射状の位置の４箇所に溝２４ｃａが設けられている。被計数物２２は最下点で溝２４ｃａに位置決めされ、最上点まで持ち上げられる。その後、最上点付近に持ち上げられた被計数物は自然落下して樋状のシュータ２５内に収まる。このとき計数用センサ３６が個数を検出する。さらにシュート２５内を滑走して受け部材２６内へ排出される。なお、計数用センサ３６は被計数物２が最上点から自然落下している途中を検出しても、シュータ内を滑走している途中を検出しても構わない。また、本実施の形態では、受け部材２６に一旦収納して所定数が溜まったときに開閉蓋２８を開放して袋詰めされるように説明したが、受け部材で必ずしも一旦溜めずに直接袋詰めされても良いし、その他の収納装置に連結して用いても構わない。
【００４２】
以上、好ましい実施の形態を説明したが、本発明は前記実施の形態に限定されるものではなく、本発明の要旨を逸脱することの無い範囲内において適宜変更が可能なものである。例えば、ホッパの形状や切り出し筒の形状など、実施例のものに限定されない。被計数物として錠剤を採用したが、食品、お菓子などの固形物などであっても構わないし、ホッパ内から切り出し可能な粒体、片状体、小塊状体などであっても構わない。計数アダプタの形状は、その用途や取り扱う被計数物に応じて、適宜選択しても良い。
【図面の簡単な説明】
【００４３】
【図１】本発明の第１の実施形態を説明するための切り出し計数装置の正面図である。
【図２】本発明の第１の実施形態に係る切り出し筒を示す正面図である。
【図３】本発明の第１の実施形態に係る切り出し筒を示す側面図である。
【図４】本発明の第１の実施形態に係る計数アダプタを示し、（ａ）は正面図、（ｂ）は側面図、（ｃ）は斜視図である。
【図５】本発明の第２の実施形態に係る計数アダプタを示し、（ａ）は正面図、（ｂ）は側面図である。
【図６】従来の実施形態に係る切り出し計数装置の正面図である。
【産業上の利用可能性】
【００４４】
錠剤などの粒体の正確な所定数の切り出しを可能とし、切り出し筒の排出側先端に計数アダプタを設けることによって、正確な所定数の切り出しを容易にする計数装置など切り出し計数装置に適用される。
【符号の説明】
【００４５】
１、２１  切り出し計数装置
２、２２  被計数物
３  ホッパ
４、２４  切り出し筒
４ａ  外筒
４ｂ  内筒
４ｃ  計数アダプタ
４ｃａ、２４ｃａ  溝
４ｄ、２４ｄ  端部
４ｅ  囲い部
４ｅａ  開口部
４ｆ、２４ｆ  突起、羽
５  回転手段、モータ
６、２６  受け部材
８、２８  開閉蓋
９  開閉手段、ソレノイド
１０  第１の歯車
１１  第２の歯車
１２  架台
１３  支柱
１４  支柱
１４ｃ  高さ調整構造
１５、２５  シュート
１６、３６  計数用センサ
【図１】
2011063307.tif 000003
【図２】
2011063307.tif 000004
【図３】
2011063307.tif 000005
【図４】
2011063307.tif 000006
【図５】
2011063307.tif 000007
【図６】
2011063307.tif 000008